(57)【要約】アップリンクＵＬ制御フレーム（１０９ａ）が無線ネットワーク制御装置（１０２）に移動し、かつダウンリンクＤＬ制御フレーム（１０９ｂ）が前記無線ネットワーク制御装置（１０２）から戻ってくるまでの時間であるラウンドトリップ時間（ＲＴＴ）を測定する無線基地局（１０４）が開示される。測定されたＲＴＴが所定の閾値より大きいと、無線基地局（１０４）は、特定の高速（ＨＳ）ユーザフローのビットレートを低減するか、あるいは無線ネットワーク制御装置（１０２）からトランスポートリンク（１０６）を介して無線基地局（１０４）に送られようとしている全てのＨＳトラフィックの最大ビットレートを低減することによって、非常に長いＲＴＴに関連した問題を解決する。
2007536794.tif 000002
【特許請求の範囲】
【請求項１】
セルラシステム（１００）における無線ネットワーク制御装置（１０２）と無線基地局（１０４）との間のトランスポートリンク（１０６）における問題を検出する方法であって、
アップリンク（ＵＬ）制御フレーム（１０９ａ）が前記無線基地局（１０４）から前記無線ネットワーク制御装置（１０２）に移動し、かつダウンリンク（ＤＬ）制御フレーム（１０９ｂ）が前記無線ネットワーク制御装置（１０２）から前記無線基地局（１０４）に移動するのに要するラウンドトリップ時間（ＲＴＴ）を測定するステップを含むことを特徴とする方法。
【請求項２】
前記測定したＲＴＴを、高速ダウンリンク共用チャネル（ＨＳ−ＤＳＣＨ）データフレーム（１１０）のフローの制御に使用するステップをさらに含むことを特徴とする請求項１記載の方法。
【請求項３】
前記ＵＬ制御フレームと前記ＤＬ制御フレームとが、高速ダウンリンク共用チャネル（ＨＳ−ＤＳＣＨ）データフレーム（１１０）にも使用される共通チャネルを介して送られることを特徴とする請求項１記載の方法。
【請求項４】
無線基地局（１０４）のフロー制御メカニズム（１０８）に関連したビットレート及び時定数を細かく調整するために、前記ＲＴＴを使用するステップを、さらに含むことを特徴とする請求項１記載の方法。
【請求項５】
セルラシステム（１００）であって、
無線ネットワーク制御装置（１０２）と、
トランスポートリンク（１０６）と、
無線基地局（１０４）と
を備え、
前記無線基地局（１０４）は、アップリンク（ＵＬ）制御フレーム（１０９ａ）を発生し、このＵＬ制御フレーム（１０９ａ）を前記無線ネットワーク制御装置（１０２）に送信し、
前記無線ネットワーク制御装置（１０２）は、前記ＵＬ制御フレーム（１０９ａ）を受信すると、ダウンリンク（ＤＬ）制御フレーム（１０９ｂ）を発生し、このＤＬ制御フレーム（１０９ｂ）を前記無線基地局（１０４）に送信し、
前記無線基地局（１０４）は、前記ＤＬ制御フレーム（１０９ｂ）を受信すると、前記ＵＬ制御フレーム（１０９ａ）が前記無線基地局（１０４）から前記無線ネットワーク制御装置（１０２）に移動し、かつ前記ＤＬ制御フレーム（１０９ｂ）が前記無線ネットワーク制御装置（１０２）から前記無線基地局（１０４）に移動するのに要するラウンドトリップ時間（ＲＴＴ）を測定することを特徴とするセルラシステム。
【請求項６】
前記ＵＬ制御フレームは、４ビットＲＴＴシーケンス及び共通トランスポートチャネル優先インディケータ（ＣｍＣＨ−ＰＩ）を含み、前記ＤＬ制御フレームは、４ビットＲＴＴシーケンス及び共通トランスポートチャネル優先インディケータ（ＣｍＣＨ−ＰＩ）を含むことを特徴とする請求項５記載のセルラシステム。
【請求項７】
前記ＵＬ制御フレームと前記ＤＬ制御フレームとが、高速ダウンリンク共用チャネル（ＨＳ−ＤＳＣＨ）データフレーム（１１０）にも使用される共通チャネルを介して送られるむことを特徴とする請求項５記載のセルラシステム。
【請求項８】
前記測定したＲＴＴが所定の閾値より大きいときに、前記無線基地局は、前記無線ネットワーク制御装置に対して、該無線ネットワーク制御装置が複数のＨＳ−ＤＳＣＨデータフレーム（１１０）に関連した優先キューフロー（ＰＱＦ）のビットレートを低減するように指示するメッセージを送ることを特徴とする請求項７記載のセルラシステム。
【請求項９】
前記測定したＲＴＴが所定の閾値より大きいときに、前記無線基地局は、前記無線ネットワーク制御装置に対して、該無線ネットワーク制御装置が、前記トランスポートリンクを介して前記無線基地局に送られる全てのＨＳトラフィックの最大ビットレートを低減するように指示するメッセージを送ることを特徴とする請求項７記載のセルラシステム。
【請求項１０】
所定時間間隔の間に次に測定されたＲＴＴが所定の閾値を超えなかったときに該所定時間間隔後、前記無線基地局は、ＨＳトラフィックの最大ビットレートを増加させることを特徴とする請求項９記載のセルラシステム。
【請求項１１】
無線基地局（１０４）であって、
アップリンクＵＬ制御フレーム（１０９ａ）が無線ネットワーク制御装置（１０２）に移動し、かつダウンリンクＤＬ制御フレーム（１０９ｂ）が前記無線ネットワーク制御装置（１０２）から戻ってくるのに要するラウンドトリップ時間（ＲＴＴ）を測定するフロー制御メカニズム（１０８）を備えることを特徴とする無線基地局。
【請求項１２】
前記フロー制御メカニズムが、前記測定したＲＴＴを、高速ダウンリンク共用チャネル（ＨＳ−ＤＳＣＨ）データフレーム（１１０）のフローの制御に使用することを特徴とする請求項１１記載の無線基地局。
【請求項１３】
前記ＵＬ制御フレームは、４ビットＲＴＴシーケンス及び共通トランスポートチャネル優先インディケータ（ＣｍＣＨ−ＰＩ）を含み、前記ＤＬ制御フレームは、４ビットＲＴＴシーケンス及び共通トランスポートチャネル優先インディケータ（ＣｍＣＨ−ＰＩ）を含むことを特徴とする請求項１１記載の無線基地局。
【請求項１４】
前記ＵＬ制御フレームと前記ＤＬ制御フレームとが、高速ダウンリンク共用チャネル（ＨＳ−ＤＳＣＨ）データフレーム（１１０）にも使用される共通チャネルを介して送られることを特徴とする請求項１１記載の無線基地局。
【請求項１５】
無線ネットワーク制御装置（１０２）であって、
無線基地局（１０４）から発生したアップリンク（ＵＬ）制御フレーム（１０９ａ）を受信し、ダウンリンク（ＤＬ）制御フレーム（１０９ｂ）を発生しこれを前記無線基地局（１０４）に送信するフロー制御メカニズム（１１８）を備えることを特徴とする無線ネットワーク制御装置。
【請求項１６】
前記ＵＬ制御フレームは、４ビットＲＴＴシーケンス及び共通トランスポートチャネル優先インディケータ（ＣｍＣＨ−ＰＩ）を含み、前記ＤＬ制御フレームは、４ビットＲＴＴシーケンス及び共通トランスポートチャネル優先インディケータ（ＣｍＣＨ−ＰＩ）を含むことを特徴とする請求項１５記載の無線ネットワーク制御装置。
【請求項１７】
前記ＵＬ制御フレームと前記ＤＬ制御フレームとが、高速ダウンリンク共用チャネル（ＨＳ−ＤＳＣＨ）データフレーム（１１０）にも使用される共通チャネルを介して送られることを特徴とする請求項１５記載の無線ネットワーク制御装置。
【発明の詳細な説明】
【技術分野】
【０００１】
本発明は、概して、第三世代セルラシステムに係わり、特に、アップリンク（ＵＬ）制御フレームがトランスポートリンク（Ｉｕｂ）を介して前記無線ネットワーク制御装置（ＲＮＣ）に移動し、かつダウンリンクＤＬ制御フレームがＲＮＣから戻ってくるのに要するラウンドトリップ時間（ＲＴＴ）を測定する無線基地局（ＲＢＳ）に関する。
【背景技術】
【０００２】
今日、広帯域符号分割多元接続（ＷＣＤＭＡ）規格の高速ダウンリンクパケットアクセス（ＨＳＤＰＡ）の規定を実現する第三世代セルラシステムの性能を高めることの関心が高まっている。
【発明の開示】
【発明が解決しようとする課題】
【０００３】
あるフレームがトランスポートリンク（Ｉｕｂ）上を無線基地局（ＲＢＳ）から無線ネットワーク制御装置（ＲＮＣ）に移動する時間と、別のフレームがＲＮＣからＲＢＳに戻ってくる時間との和であるラウンドトリップ時間（ＲＴＴ）をＲＢＳが測定できる方法があれば、第三世代セルラシステムの性能が高められる。
【０００４】
ＲＢＳがＲＴＴを知ることができることが望ましい。なぜなら、ＲＢＳは、ＲＴＴが長すぎればトランスポートリンクに問題があると判断できるからである。トランスポートリンクに問題があるならば、ＲＮＣとＵＥ（移動ハンドセット又はターミナルのようなユーザ装置）との間での再送信を行わせることになるが、ＲＮＣとＵＥとの間での情報の再送信は好ましいことではない。なぜなら、再送信は、ＨＳＤＰＡスループットを低減させるからである。残念なことに、従来のＲＢＳは、ＲＴＴを測定する機能がなく、従って、ＲＮＣとＵＥとの間の再送信を防止する訂正アクションをとることができなかった。本発明は、この問題を解決しようとするものである。
【課題を解決するための手段】
【０００５】
本発明は、あるフレームがＲＢＳからＲＮＣに移動し、そして別のフレームがＲＮＣからＲＢＳに戻ってくる時間であるＲＴＴを測定するＲＢＳを含む。これを達成するために、ＲＢＳは、ＵＬ制御フレームを発生し、このＵＬ制御フレームをＲＮＣに送信する。ＲＮＣは、ＵＬ制御フレームを受信すると、ダウンリンク（ＤＬ）制御フレームを発生し、このＤＬ制御フレームをＲＢＳに送信する。ＲＢＳは、ＤＬ制御フレームを受信後、ＵＬ制御フレームがＲＢＳからＲＮＣに移動しかつＤＬ制御フレームがＲＮＣからＲＢＳに移動する時間であるＲＴＴを測定する。測定したＲＴＴが所定の閾値よりも大きければ、ＲＢＳは、特定の高速（ＨＳ）ユーザフローのビットレートを低減するか、又はＲＮＣによってＲＢＳに送られようとしている全てのＨＳトラヒックに対する最大ビットレートを低減することによって、この問題に対処する。
【発明を実施するための最良の形態】
【０００６】
図１には、第三世代セルラネットワーク１００（具体的には、ＵＴＲＡＮ１００（ＵＭＴＳ地上（Ｔｅｒｒｅｓｔｒｉａｌ）無線アクセスネットワーク１００）のみ）のブロック図が示されている。ＵＴＲＡＮ１００は、トランスポートリンク１０６（Ｉｕｂ１０６）を介して互いに接続されたＲＮＣ１０２及びＲＢＳ１０４を有する。ＲＢＳ１０４は、あるフレーム１０９ａ（例えば、ＵＬ  ＲＴＴ制御フレーム１０９ａ）がＲＢＳ１０４からＲＮＣ１０２へ移動しかつ別のフレーム１０９ｂ（例えば、ＤＬ  ＲＴＴ制御フレーム１０９ｂ）がＲＮＣ１０２からＲＢＳ１０４に戻ってくる時間であるＲＴＴを測定できるフロー制御メカニズム１０８を含む。ＲＢＳ１０４が訂正アクションをとってＲＮＣ１０２とＵＥ１１６（一つのみが図示）との間の再送信を防止できるように、ＲＢＳ１０４がＲＴＴを測定できることが重要である。図２ならびに図３Ａ及び図３Ｂを参照して、ＲＢＳ１０４がＲＴＴをどのように測定するかということと、ＲＴＴが長すぎる場合にとることができる訂正アクションについて説明する。
【０００７】
ＲＢＳ１０４は、ＲＴＴを測定できることによって、ＨＳＤＰＡ領域のＩｕｂ問題を検出できる。ＨＳＤＰＡは、より短い送信時間インターバル（ＴＴＩｓ）を提供することによってエアインタフェース１１７を効率的に使用する広帯域無線アクセスネットワーク（ＷＲＡＮ）である。ＨＳＤＰＡによれば、専用（ｄｅｄｉｃａｔｅｄ）チャネル（ＤＣＨ）ユーザ例えば音声ユーザ間に残されたエアインタフェースパワーと、ＲＢＳ電力増幅器からの最大パワーとが、ＨＳＤＰＡユーザ１１６（ＨＳユーザ１１６）に使用できる。説明を簡単にするために、ＤＣＨユーザは図示していない。なぜなら、ＨＳユーザ１１６がエアインタフェース１１７を介して享受できるビットレートは、高ビットレート（少ないＤＣＨユーザで“見通し内（ｌｉｎｅ  ｏｆ  ｓｉｇｈｔ）”のセル）から低ビットレート（多くのＤＣＨユーザで“見通し外”のセル）までのどこへでも変動するという意味で“ベストエフォート（ｂｅｓｔ  ｅｆｆｏｒｔ）”型のサービスを受けられるからである。
【０００８】
ＨＳＤＰＡは、トランスポートリンク１０６に関してＨＳユーザ１１６に対して同じ“ベストエフォート”型サービスをサポートする。したがって、ＨＳユーザ１１６によって使用される高速ダウンリンク共用チャネル（ＨＳ−ＤＳＣＨ）データフレーム１１０は、各ＤＣＨフローがＩｕｂ１０６上の特定の遅延を伴う特定の帯域を有するＤＣＨデータフレームのようにアドミッション（ａｄｍｉｓｓｉｏｎ）制御されるわけではない。その代わり、一つ又は数百の媒体アクセス制御（ＭＡＣ−ｄ）されたフローに属することができるＨＳ−ＤＳＣＨデータフレーム１１０は、Ｉｕｂ１０上の同じ“ベストエフォート”型クオリティサービス（ＱｏＳ）を共有する。各ＭＡＣ−ｄフローは、ＲＮＣ１０２及びＲＢＳ１０４の中にキュー（ｑｕｅｕｅ）を有することに留意されたい。そして、各ＭＡＣ−ｄフローは、未規定ビットレート（ＵＢＲ＋）型のＡＴＭコネクション、又はＣＢＲ  ＶＣ、又はＩＰベースのトランスポートネットワークにキャリーオバー（ｃａｒｒｙ  ｏｖｅｒ）されるＡＴＭアダプテーション層２（ＡＡＬ２）クラスＣパス上で競合することがある。ＩＰベースのトランスポートが使用される場合、本発明は、幾分有利である。ＣＲＣベースの輻輳検出技術を使用できないからである。
【０００９】
ＨＳ−ＤＳＣＨデータフレーム１１０がトランスポートリンク１０６上で“ベストエフォート”型サービスを使用するので、ＲＴＴが長すぎるときに生じるＩｕｂ問題の検出は重要である。検出できればＩｕｂ問題を解決できる。Ｉｕｂ問題は、容量不足（ｓｃａｒｅ）Ｉｕｂ１０６に非常に多くのＨＳトラフィックがあり、ＨＳ−ＤＳＣＨデータフレーム１１０が欠落又は遅延し、エンドユーザ１１６へのスループットが小さくなる程度にＲＴＴが長くなってしまうことによって生じる。この種のＩｕｂ問題は、パケットデータサービスに対して送信制御プロトコル（ＴＣＰ）を使用するエンドユーザ１１６にとって特に深刻である。なぜなら、ＴＣＰは、長いＲＴＴに対して非常に敏感だからである。このＩｕｂ問題は、リアルタイムゲームやボイスオーバーＩＰのようなリアルタイムサービスを使用するエンドユーザにとても問題である。長くなったＲＴＴによって引き起こされる別の問題は、同じく“ベストエフォート”型トランスポートネットワークサービスを使用して送信される重要なシグナリングＰＤＵの消失である。そして、ＨＳ−ＤＳＣＨデータフレームの消失比が非常に高いと、これらの関係はいずれも消失する可能性がある。
【００１０】
このＩｕｂ問題を検出するために、本発明は、ＵＬ  ＲＴＴ制御フレーム１０９ａ及びＤＬ  ＲＴＴ制御フレーム１０９ｂと称する二つのＲＴＴ制御フレームを使用する。これら二つのＲＴＴ制御フレーム１０９ａ及び１０９ｂは、ＵＬ  ＲＴＴ制御フレーム１０９ａがＲＢＳ１０４からＲＮＣ１０２に移動する時間と、ＤＬ  ＲＴＴ制御フレーム１０９ｂがＲＮＣ１０２からＲＢＳ１０４に戻ってくる時間との和であるＲＴＴ時間をＲＢＳ１０４が測定できるようにする。これを達成するために、ＲＢＳ１０４及びＲＮＣ１０２（フロー制御メカニズム１１８を含む）中に、ＵＬ  ＲＴＴ制御フレーム１０９ａ及びＤＬ  ＲＴＴ制御フレーム１０９ｂを導入し使用するＷＣＤＭＡ  ＲＡＮ  ＨＳＤＰＡハードウエア及びソフトウエアを準備する必要がある。このための一つの方法を、以下に説明する。
【００１１】
図２は、ＲＢＳ１０４及び特にフロー制御メカニズム１０８が、ＵＬ  ＲＴＴ制御フレーム１０９ａ及びＤＬ  ＲＴＴ制御フレーム１０９ｂを使用して、どのようにしてＲＴＴを測定できるかを説明するのを補助するのに使用するブロック図である。図示されているように、フロー制御メカニズム１０８（フレームハンドラー２０２）は、次の３個の入力、（１）Ｉｕｂ  ＲＴＴイネーブルド２０４（ＲＮＣ及びそのＲＢＳ毎）；（２）Ｉｕｂ  ＲＴＴリミット２０６（ＲＢＳ毎）；及び（３）ＤＬ  ＲＴＴ制御フレーム１０９ｂ、ならびに、次の２個の出力、（１）ＲＴＴエラーフラグ２０８（１００ｍｓ毎優先キューフロー（ＰＱＦ）毎）；及び（２）ＵＬ  ＲＴＴ制御フレーム１０９ａ。
【００１２】
好ましい実施例において、ＲＢＳ１０４（フロー制御メカニズム１０８）は、ユーザプレーンＨＳ−ＤＳＣＨデータフレーム１１０によって使用される同じトランスポートネットワークチャネルを使用してＵＬ  ＲＴＴ制御フレーム１０９ａをＲＮＣ１０２に送ることによってＲＴＴを測定する。ＲＮＣ１０２は、ＵＬ  ＲＴＴ制御フレーム１０９ａを受信すると、新たなデータフレーム（ＤＦ）レートを使用して容量割当（ＣＡ）メッセージを回答するのと同様に、ＤＬ  ＲＴＴ制御フレーム１０９ｂをＲＢＳ１０４に送る。その後、ＲＢＳ１０４（フロー制御メカニズム１０８）は、ＤＬ  ＲＴＴ制御フレーム１０９ｂを受信する。従って、ＲＢＳ１０４（フロー制御メカニズム１０８）は、ＵＬ  ＲＴＴ制御フレーム１０９ａを送信してからＤＬ  ＲＴＴ制御フレーム１０９ｂを受信するまでに要する時間を測定することによってＲＴＴを計算する。ＲＢＳ１０４（フロー制御メカニズム１０８）は、ＲＴＴを測定することによって、ＲＴＴが非常に長いかどうか判断する。そして、ＲＴＴが非常に長いと、ＲＢＳ１０４（フロー制御メカニズム１０８）は、Ｉｕｂ問題を解決する訂正アクションをとり、ＲＮＣ１０２とＵＥ１１６との間の再送信を防止する。ＲＴＴが非常に長いときに、ＲＢＳ１０４がどのようにしてＩｕｂ問題を解決することができるのか、次に説明する。
【００１３】
測定されたＲＴＴが非常に長いと、ＲＢＳ１０４より具体的にはフレームハンドラー２０２がＲＴＴエラーフラグ２０８をセットし出力する。フロー制御メカニズム１０８は、ＲＴＴエラーフラグ２０８を受信すると、ＲＴＴ制御フレーム１０９ａ及び１０９ｂによって使用されたのと同じチャネルを使用するＨＳ−ＤＳＣＨデータフレーム１１０の特定の優先キューフロー（ＰＱＦ）のビットレート（ＣＡＲａｔｅ）を一時的に低減する（図２の番号“１”参照）。より具体的に説明すると、ＲＢＳ１０４は、ＲＮＣ１０２にＣＡメッセージを送ることによって、ＨＳ−ＤＳＣＨデータフレーム１１０の特定フローのビットレートを動的に制御する。測定されたＲＴＴがある時間間隔に対して非常に長いと、ＲＢＳ１０４は、Ｉｕｂ１０６を介して送られる全てのＨＳトラフィックの最大ビットレート（ＴａｒｇｅｔＨＳＲａｔｅ）を低減する（図２の番号“２”参照）。その後、所定の時間間隔（１０秒）にわたってＩｕｂ問題が発生しなければ、ＲＢＳ１０４は、ＨＳトラフィックの最大ビットレート（ＴａｒｇｅｔＨＳＲａｔｅ）を増大させる（図２の番号“２ａ”参照）。
【００１４】
図３Ａ及び図３Ｂは、本発明によるＵＬ  ＲＴＴ制御フレーム１０９ａ及びＤＬ  ＲＴＴ制御フレーム１０９ｂの好ましい構造をそれぞれ示す図である。ＲＴＴ制御フレーム１０９ａ及び１０９ｂを３ＧＰＰ規格より具体的には、３ＧＰＰ  ＴＳ  ２５．４３５（ｖｅｒｓｉｏｎ  ５）に組み入れるには、第５章と第６章に次の変更をする必要がある。
【００１５】
５．８．  概略
５．８．１  データ／制御フレームとトランスポートベアラとの関係
表１は、データ及び制御フレームがトランスポートベアラにどのように関係づけられているかを示す。‘ｙｅｓ’は、制御フレームがトランスポートベアラに適用可能であることを示し、‘ｎｏ’は、制御フレームがトランスポートベアラに適用不可能であることを示す。
【００１６】
【表１】
2007536794.tif 000003
【００１７】
５．Ｘ  ラウンドトリップ（ＲＴＴ）
ラウンドトリップ時間（ＲＴＴ）測定手順は、ノードＢがＣＲＮＣを介してＲＴＴ測定を開始し終了させる手段を提供する。ＲＴＴ測定結果は、例えば、ＨＳＤＰＡタイミング特性の細かな調整に使用できる。
【００１８】
ＣＲＮＣは、ＵＬ  ＲＴＴ制御フレームを受信すると、受信したＵＬ  ＲＴＴ制御フレームと同じＲＴＴシーケンス番号及びＣｍＣＨ−ＰＩ値を含むＤＬ  ＲＴＴ制御フレームで返答する。
【００１９】
６．３．２．３  制御フレームタイプ
説明：ペイロードに含まれる制御情報（情報エレメント及び長さ）のタイプを示す。
【００２０】
値：制御フレームタイプパラメータの値は、表２に示されている。
【００２１】
【表２】
2007536794.tif 000004
【００２２】
６．３．３．Ｘ  ＵＬ  ＲＴＴ
６．３．３．Ｘ．１  ペイロード構造
図３Ａ（規格に組み入れられた場合には図３７）は、制御フレームがＲＴＴ測定に使用されたときのペイロード構造のＵＬ部を示す。
【００２３】
６．３．３．Ｘ．２  ＵＬ  ＲＴＴ  シーケンス
説明：４ビットＲＴＴシーケンスは、同時にいくつかのＲＴＴ測定を可能にする。
【００２４】
値範囲：｛０・・１５｝
粒度（Ｇｒａｎｕｌａｒｉｔｙ）：１
フィールド長：４ビット
６．３．３．Ｘ．３  共通トランスポートチャネル優先インディケータ（ＣｍＣＨ−ＰＩ）
サブクローズ６．２．７．２１参照
６．３．３．Ｘ．４  スペアエクステンション（Ｓｐａｒｅ  Ｅｘｔｅｎｓｉｏｎ）
サブクローズ６．３．３．１．４参照
６．３．３．Ｙ  ペイロード構造
図３Ｂ（規格に組み入れられた場合には図３８）は、制御フレームがＲＴＴ測定に使用されたときのペイロード構造のＵＬ部を示す。
【００２５】
注：２個の“同一”ＲＴＴ制御フレームを有する理由は、異なるスペアエクステンションを使用する可能性があるからである。
【００２６】
６．３．３．Ｙ．１  ＤＬ  ＲＴＴ
６．３．３．Ｙ．２  ＲＴＴシーケンス
説明：４ビットＲＴＴシーケンスは、同時にいくつかのＲＴＴ測定を可能にする。
【００２７】
値範囲：｛０・・１５｝
粒度（Ｇｒａｎｕｌａｒｉｔｙ）：１
フィールド長：４ビット
６．３．３．Ｙ．３  共通トランスポートチャネル優先度インディケータ（ＣｍＣＨ−ＰＩ）
サブクローズ６．２．７．２１参照
６．３．３．Ｙ．４  スペアエクステンション（Ｓｐａｒｅ  Ｅｘｔｅｎｓｉｏｎ）
サブクローズ６．３．３．１．４参照
ＨＳＤＰＡ及びＷＣＤＭＡについてさらに詳細な説明は、以下の規格を参照されたい。
【００２８】
・３ＧＰＰ  ＴＳ  ２５．４３５  共通チャネルのためのＩｕｂユーザプレーン
・３ＧＰＰ  ＴＳ  ２５．４２５  共通チャネルのためのＩｕｂユーザプレーン
これらの規格の内容は、本明細書の内容の一部をなすものとする。
【００２９】
以下の説明は、本発明の付加的特徴、利点及び利用に関するものである。
【００３０】
本発明は、“ＨＳＤＰＡフロー制御データフレーム、フレーム番号シーケンス（ＨＳＤＰＡ  Ｆｌｏｗ  Ｃｏｎｔｒｏｌ  Ｄａｔａ  Ｆｒａｍｅ，  Ｆｒａｍｅ  Ｎｕｍｂｅｒ  Ｓｅｑｕｅｎｃｅ）”という名称の別の特許出願（アトーニードケット番号：Ｐ１９５３１）に関連する。この出願の発明は、消失したＨＳ−ＤＳＣＨデータフレームに関連したＩｕｂ問題を検出し解決するもので、本発明とともに使用できる。この特許出願の内容も本明細書の一部をなすものである。
【００３１】
本発明は、“ＨＳＤＰＡフロー制御データフレーム遅延ＲＮＣリファレンス時間（ＨＳＤＰＡ  Ｆｌｏｗ  Ｃｏｎｔｒｏｌ  Ｄａｔａ  Ｆｒａｍｅ  Ｄｅｌａｙ  ＲＮＣ  Ｒｅｆｅｒｅｎｃｅ  Ｔｉｍｅ）”という名称の別の特許出願（アトーニードケット番号：Ｐ１９５３０）にも関連する。この出願の発明は、バッファ遅延に関連したＩｕｂ問題を検出し解決するもので、本発明とともに使用できる。この特許出願の内容も本明細書の一部をなすものである。
【００３２】
本発明は、ＲＢＳフロー制御アルゴリズムが、Ｉｕｂ渋滞をより良い方法で検出し、セル変更特性を改良することができる。
【００３３】
ＲＴＴを測定することに関連した別の利点は、フロー制御アルゴリズムが時定数及びビットレートを細かく調整することを助けることができることである。例えば、ＨＳユーザ１１６が第一セル、すなわち典型例では第一ＲＢＳに位置し、第二ＲＢＳに関連した第二セルに移動しようとしている場合、第一ＲＢＳ中のバッファは、時間通りにその記憶データを出力し記憶内容を空になければならず、そのデータは時間通りに第二ＲＢＳに送られなければならない。ＲＴＴが知られていれば、このプロセスは、より良い結果が得られるように細かく調整できる。
【００３４】
ＲＮＣ１０２及びＲＢＳ１０４のような第三世代セルラネットワーク中の構成要素は、この産業分野で周知なので、ＲＮＣ１０２及びＲＢＳ１０４の周知事項の説明は省略する。
【００３５】
以上、本発明の一実施例について図面を参照して詳細に説明したが、本発明は、上記実施例に限定されるわけではなく、特許請求の範囲に記載した本発明の趣旨から逸脱することなく、種々の再構成、変形及び置換することができる。
【００３６】
本出願は、“ＨＳＤＰＡフロー制御、制御フレームＲＴＴ測定（ＨＳＤＰＡ  Ｆｌｏｗ  Ｃｏｎｔｒｏｌ，Ｃｏｎｔｒｏｌ  Ｆｒａｍｅｓ  ＲＴＴ  Ｍｅａｓｕｒｅｍｅｎｔ）”という名称の２００４年５月５日に出願された米国仮出願シリアル番号６０／５６８，３８９号の利益を請求する。
【図面の簡単な説明】
【００３７】
【図１】図１は、本発明によりＲＴＴを測定することができるＲＢＳを含む第三世代セルラネットワークを示す図である。
【図２】図２は、図１に示されたＲＢＳが本発明によりいかにしてＲＴＴを測定できるかを示す図である。
【図３Ａ】図３Ａは、本発明によりＲＴＴを測定できるようにＲＢＳによって使用できるＵＬ  ＲＴＴ制御フレームの好ましい構造を示す図である。
【図３Ｂ】図３Ｂは、本発明によりＲＴＴを測定できるようにＲＢＳによって使用できるＤＬ  ＲＴＴ制御フレームの好ましい構造を示す図である。
【図１】
2007536794.tif 000005
【図２】
2007536794.tif 000006
【図３Ａ】
2007536794.tif 000007
【図３Ｂ】
2007536794.tif 000008
【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
セルラシステム（１００）における無線ネットワーク制御装置（１０２）と無線基地局（１０４）との間のトランスポートリンク（１０６）における問題を検出する方法であって、
アップリンク（ＵＬ）制御フレーム（１０９ａ）とダウンリンク（ＤＬ）制御フレーム（１０９ｂ）とが、高速ダウンリンク共用チャネル（ＨＳ−ＤＳＣＨ）データフレーム（１１０）にも使用される共通チャネルを介して送られる環境において、前記ＵＬ制御フレーム（１０９ａ）が無線基地局（１０４）から無線ネットワーク制御装置（１０２）に移動し、かつ前記ＤＬ制御フレーム（１０９ｂ）が無線ネットワーク制御装置（１０２）から無線基地局（１０４）に移動するのに要するラウンドトリップ時間（ＲＴＴ）を無線基地局（１０４）によって測定するステップと、この測定したＲＴＴを、高速ダウンリンク共用チャネル（ＨＳ−ＤＳＣＨ）データフレーム（１１０）のフローの制御に使用するステップと、を含むことを特徴とする方法。
【請求項２】
特定の高速（ＨＳ）ユーザフローのビットレートを低減するか、あるいは無線ネットワーク制御装置（１０２）から無線基地局（１０４）に送られようとしている全てのＨＳトラフィックの最大ビットレートを低減することによって、フローを制御するステップをさらに含む請求項１記載の方法。
【請求項３】
無線基地局（１０４）のフロー制御メカニズム（１０８）に関連したビットレートおよび時定数を細かく調整するために、前記ＲＴＴを使用するステップを、さらに含むことを特徴とする請求項１記載の方法。
【請求項４】
セルラシステム（１００）であって、
無線ネットワーク制御装置（１０２）と、
トランスポートリンク（１０６）と、
無線基地局（１０４）と
を備え、
前記無線基地局（１０４）は、アップリンク（ＵＬ）制御フレーム（１０９ａ）を発生し、このＵＬ制御フレーム（１０９ａ）を前記無線ネットワーク制御装置（１０２）に送信し、
前記無線ネットワーク制御装置（１０２）は、前記ＵＬ制御フレーム（１０９ａ）を受信すると、ダウンリンク（ＤＬ）制御フレーム（１０９ｂ）を発生し、このＤＬ制御フレーム（１０９ｂ）を前記無線基地局（１０４）に送信し、
前記無線基地局（１０４）は、前記ＤＬ制御フレーム（１０９ｂ）を受信すると、前記ＵＬ制御フレーム（１０９ａ）が前記無線基地局（１０４）から前記無線ネットワーク制御装置（１０２）に移動し、かつ前記ＤＬ制御フレーム（１０９ｂ）が前記無線ネットワーク制御装置（１０２）から前記無線基地局（１０４）に移動するのに要するラウンドトリップ時間（ＲＴＴ）を測定し
前記ＵＬ制御フレーム（１０９ａ）と前記ＤＬ制御フレーム（１０９ｂ）とが、高速ダウンリンク共用チャネル（ＨＳ−ＤＳＣＨ）データフレーム（１１０）にも使用される共通チャネルを介して送られ、
前記測定したＲＴＴを、高速ダウンリンク共用チャネル（ＨＳ−ＤＳＣＨ）データフレーム（１１０）のフローの制御に使用することを特徴とするセルラシステム。
【請求項５】
前記ＵＬ制御フレームは、４ビットＲＴＴシーケンスおよび共通トランスポートチャネル優先インディケータ（ＣｍＣＨ−ＰＩ）を含み、前記ＤＬ制御フレームは、４ビットＲＴＴシーケンスおよび共通トランスポートチャネル優先インディケータ（ＣｍＣＨ−ＰＩ）を含むことを特徴とする請求項４記載のセルラシステム。
【請求項６】
前記測定したＲＴＴが所定の閾値より大きいときに、前記無線基地局は、前記無線ネットワーク制御装置に対して、該無線ネットワーク制御装置が複数のＨＳ−ＤＳＣＨデータフレーム（１１０）に関連した優先キューフロー（ＰＱＦ）のビットレートを低減するように指示するメッセージを送ることを特徴とする請求項４記載のセルラシステム。
【請求項７】
前記測定したＲＴＴが所定の閾値より大きいときに、前記無線基地局は、前記無線ネットワーク制御装置に対して、該無線ネットワーク制御装置が、前記トランスポートリンクを介して前記無線基地局に送られる全てのＨＳトラフィックの最大ビットレートを低減するように指示するメッセージを送ることを特徴とする請求項４記載のセルラシステム。
【請求項８】
所定時間間隔の間に次に測定されたＲＴＴが所定の閾値を超えなかったときに該所定時間間隔後、前記無線基地局は、ＨＳトラフィックの最大ビットレートを増加させることを特徴とする請求項７記載のセルラシステム。
【請求項９】
無線基地局（１０４）であって、
アップリンク（ＵＬ）制御フレーム（１０９ａ）とダウンリンク（ＤＬ）制御フレーム（１０９ｂ）とが、高速ダウンリンク共用チャネル（ＨＳ−ＤＳＣＨ）データフレーム（１１０）にも使用される共通チャネルを介して送られる環境において、前記ＵＬ制御フレーム（１０９ａ）が無線ネットワーク制御装置（１０２）に移動し、かつ前記ＤＬ制御フレーム（１０９ｂ）が前記無線ネットワーク制御装置（１０２）から戻ってくるのに要するラウンドトリップ時間（ＲＴＴ）を測定するフロー制御メカニズム（１０８）を備え、このフロー制御メカニズムが、前記測定したＲＴＴを、高速ダウンリンク共用チャネル（ＨＳ−ＤＳＣＨ）データフレーム（１１０）のフローの制御に使用することを特徴とする無線基地局。
【請求項１０】
前記ＵＬ制御フレームは、４ビットＲＴＴシーケンスおよび共通トランスポートチャネル優先インディケータ（ＣｍＣＨ−ＰＩ）を含み、前記ＤＬ制御フレームは、４ビットＲＴＴシーケンスおよび共通トランスポートチャネル優先インディケータ（ＣｍＣＨ−ＰＩ）を含むことを特徴とする請求項９記載の無線基地局。
【請求項１１】
無線ネットワーク制御装置（１０２）であって、
無線基地局（１０４）から発生したアップリンク（ＵＬ）制御フレーム（１０９ａ）を受信し、ダウンリンク（ＤＬ）制御フレーム（１０９ｂ）を発生しこれを前記無線基地局（１０４）に送信するフロー制御メカニズム（１１８）を備え、
前記ＵＬ制御フレームと前記ＤＬ制御フレームとが、高速ダウンリンク共用チャネル（ＨＳ−ＤＳＣＨ）データフレーム（１１０）にも使用される共通チャネルを介して送られ、
前記フロー制御メカニズムが、測定したＲＴＴを、高速ダウンリンク共用チャネル（ＨＳ−ＤＳＣＨ）データフレーム（１１０）のフローの制御に使用することを特徴とする無線ネットワーク制御装置。
【請求項１２】
前記ＵＬ制御フレームは、４ビットＲＴＴシーケンスおよび共通トランスポートチャネル優先インディケータ（ＣｍＣＨ−ＰＩ）を含み、前記ＤＬ制御フレームは、４ビットＲＴＴシーケンスおよび共通トランスポートチャネル優先インディケータ（ＣｍＣＨ−ＰＩ）を含むことを特徴とする請求項１１記載の無線ネットワーク制御装置。
【国際調査報告】
2007536794.tif 000009
2007536794.tif 000010
2007536794.tif 000011